(57)【要約】【課題】梱包状態の被梱包物に荷重や衝撃がかかっても被梱包物に撓みや部品の分離、落下等が発生することを防止する。【解決手段】薄型の表示装置１の梱包体５は、表示装置１の下辺縁部１ａを溝部６ａ，７ａで嵌合して覆う第１下側緩衝部材６及び第２下側緩衝部材７と、表示装置１の下辺縁部１ａに対向する上辺縁部１ｂを溝部８ａ，９ａで嵌合して覆う第１上側緩衝部材８及び第２上側緩衝部材９とを備えた。更に、第１下側緩衝部材６及び第２下側緩衝部材７を覆う下部箱部材１２と、第１上側緩衝部材８及び第２上側緩衝部材９と第１下側緩衝部材６及び第２下側緩衝部材７を覆う上部箱部材１３とを備えた。下部箱部材１２は、対向する一対の長側面１２ｃが外側長側面と内側長側面を折り曲げ部で折り曲げた二重折り部とされている。【選択図】図２
2019142564.tif 000002
【特許請求の範囲】
【請求項１】
被梱包物の一方の縁部を覆う第一緩衝部材と、
前記被梱包物の前記一方の縁部に対向する他方の縁部を覆う第二緩衝部材と、
前記第一緩衝部材を覆う第一箱部材と
前記第二緩衝部材及び第一緩衝部材を覆う第二箱部材と、を備え、
前記第一箱部材及び第二箱部材の少なくとも一方における一の側面は二重に折り曲げられた二重折り部であることを特徴とする被梱包物の梱包体。
【請求項２】
被梱包物の一方の縁部を覆う第一緩衝部材と、
前記被梱包物の前記一方の縁部に対向する他方の縁部を覆う第二緩衝部材と、
前記第一緩衝部材を覆う第一箱部材と
前記第二緩衝部材及び第一緩衝部材を覆う第二箱部材と、を備え、
前記第一緩衝部材及び第一箱部材の間と前記第二緩衝部材及び第二箱部材の間との少なくとも一方に設けた断面略L字型の補強部材と、
を備えたことを特徴とする被梱包物の梱包体。
【請求項３】
前記第一箱部材及び第二箱部材の少なくとも一方における一の側面は二重に折り曲げられた二重折り部である請求項２に記載された被梱包物の梱包体。
【請求項４】
前記一の側面は折り曲げ部を介して折り曲げた外側長側面と内側長側面を有しており、前記内側長側面は前記外側長側面の前記折り曲げ部と反対側の端部まで延びている請求項１または３に記載された被梱包物の梱包体。
【請求項５】
前記一の側面の折り曲げ部には、複数本のミシン目が形成されている請求項４に記載された被梱包物の梱包体。
【請求項６】
前記一の側面の外側長側面と内側長側面の一方には穴部が形成され、他方には前記穴部に係止可能な凸部が形成されている請求項４または５に記載された被梱包物の梱包体。
【請求項７】
前記被梱包物は薄型で四角形板状の表示装置である請求項１から６のいずれか１項に記載された被梱包物の梱包体。
【請求項８】
第一緩衝部材を第一箱部材で覆う工程と、
被梱包体の一方の縁部を前記第一緩衝部材で覆うと共に前記一方の縁部に対向する他方の縁部を第二緩衝部材で覆う工程と、
前記第二緩衝部材及び第一緩衝部材を第二箱部材で覆う工程と、
を備え、
前記第一箱部材と第二箱部材の一方は一の側面が二重に折り曲げられた二重折り部であり、他方は前記第二緩衝部材または第一緩衝部材に設置された断面略L字型の補強部材を覆っていることを特徴とする被梱包物の梱包方法。
【発明の詳細な説明】
【技術分野】
【０００１】
本発明は、薄型の表示装置等を含む被梱包物を梱包するための被梱包物の梱包体及び被梱包物の梱包方法に関する。
【背景技術】
【０００２】
近年、液晶ディスプレイ装置等のような表示装置は薄型のものが主流になっている。特にマルチディスプレイ装置では、壁面に複数の表示装置を小さな間隔で縦横方向に配列して設置されている。そのため、薄型の表示パネルの四周縁部を囲うベゼルの厚さが例えば１．５ｍｍと非常に薄い。
例えば特許文献１に記載された梱包材では、表示装置の上辺の縁部と下辺の縁部を発泡スチロールからなる上側緩衝部材と下側緩衝部材の溝部にそれぞれ嵌合して覆い、更に下側緩衝部材を下部箱部材で覆い、上側緩衝部材を上部箱部材で覆うことで梱包している。
【０００３】
例えば、図６（ａ）に示す表示装置１００の梱包体１０１では、左右に分離された下側緩衝部材１０３を下部箱部材１０４に収納し、表示装置１００の下辺の縁部を下側緩衝部材１０３の溝部に嵌合させ、上辺の縁部に左右に分離された上側緩衝部材１０２の溝部を嵌合させている。図６（ｂ）に示すように、下部箱部材１０４は略Ｕ字状の断面形状を有している。上側緩衝部材１０２と下側緩衝部材１０３は上部箱部材１０５に収納されている。
そして、下部箱部材１０４の側面を上部箱部材１０５で覆った状態でジョイントによって互いに係止させ、上部箱部材１０５と下部箱部材１０４を帯状のバンドで巻き付けることで梱包体１０１による梱包が完了する。
【先行技術文献】
【特許文献】
【０００４】
【特許文献１】特開２０１５−１８９４８５号公報
【発明の概要】
【発明が解決しようとする課題】
【０００５】
しかしながら、梱包体１０１で梱包される表示装置１００は薄型であるため、発泡スチロールからなる下側緩衝部材１０３及び上側緩衝部材１０２と段ボール製の下部箱部材１０４及び上部箱部材１０５で梱包していても、輸送時や保管時等の衝撃に弱いという問題があった。
例えば、表示装置１００を梱包した梱包体１０１を保管したり輸送したりする場合、図７に示すように、梱包状態で梱包体１０１を通して表示装置１００の長辺の両側角部に荷重Gがかかると表示装置１００の長辺に撓みが発生する。これによって、表示装置１００の液晶ディスプレイの中央部下側のガラス１０６がベゼル１０７から脱落してしまうことがあった。
【０００６】
本発明は、上述した課題に鑑みてなされたものであり、梱包状態の被梱包物に荷重や衝撃がかかっても被梱包物に撓みや部品の脱落等が発生することを防止するようにした被梱包物の梱包体及び被梱包物の梱包方法を提供することを目的とする。
【課題を解決するための手段】
【０００７】
本発明による被梱包物の梱包体は、被梱包物の一方の縁部を覆う第一緩衝部材と、被梱包物の一方の縁部に対向する他方の縁部を覆う第二緩衝部材と、第一緩衝部材を覆う第一箱部材と、第二緩衝部材及び第一緩衝部材を覆う第二箱部材とを備え、第一箱部材及び第二箱部材の少なくとも一方における一の側面は二重に折り曲げられた二重折り部であることを特徴とする。
【０００８】
本発明による被梱包物の梱包体は、被梱包物の一方の縁部を覆う第一緩衝部材と、被梱包物の一方の縁部に対向する他方の縁部を覆う第二緩衝部材と、第一緩衝部材を覆う第一箱部材と、第二緩衝部材及び第一緩衝部材を覆う第二箱部材とを備え、第一緩衝部材及び第一箱部材の間と第二緩衝部材及び第二箱部材の間との少なくとも一方に設けた断面略L字型の補強部材と、を備えたことを特徴とする。
【０００９】
本発明による被梱包物の梱包方法は、第一緩衝部材を第一箱部材で覆う工程と、被梱包体の一方の縁部を第一緩衝部材で覆うと共に一方の縁部に対向する他方の縁部を第二緩衝部材で覆う工程と、第二緩衝部材及び第一緩衝部材を第二箱部材で覆う工程と、を備え、第一箱部材と第二箱部材の一方は一の側面が二重に折り曲げられた二重折り部であり、他方は第二緩衝部材または第一緩衝部材に設置された断面略L字型の補強部材を覆っていることを特徴とする。
【発明の効果】
【００１０】
本発明に係る被梱包物の梱包体及び被梱包物の梱包方法によれば、二重折り部や補強部材によって梱包体の強度を補強できるため、梱包体に偏った荷重や衝撃がかかったとしても被梱包物に撓みや部品の脱落、分離等が発生することを防止できる。
【図面の簡単な説明】
【００１１】
【図１】表示装置の分解斜視図である。
【図２】本発明の実施形態による梱包体と表示装置の分解斜視図である。
【図３】図２に示す下部箱部材のＢ−Ｂ線断面図である。
【図４】下部箱部材とその端部の拡大図である。
【図５】下部箱部材の展開図である。
【図６】（ａ）は従来例による表示装置の梱包体の分解斜視図、（ｂ）は下部箱部材のＡ−Ａ線拡大断面図である。
【図７】梱包体を通して表示装置にかかる荷重を示す説明図である。
【発明を実施するための形態】
【００１２】
以下、本発明の実施形態による薄型の表示装置１の梱包体５を図１〜図５を参照して説明する。
図１は被梱包物としての薄型の表示装置１を示すものであり、例えば液晶ディスプレイまたは有機ＥＬディスプレイ等からなる大型で薄型の表示装置１を示すものである。表示装置１は例えば略四角形板状の表示パネル２とその四周縁部を囲う枠部材としてのベゼル３とを備えている。表示パネル２は一方の平坦面に表示画面２ａが設けられ、他方の面に背面をなすリアカバー２ｂが設けられている。
【００１３】
この薄型の表示装置１の梱包体５は図２に示されており、表示装置１は例えば長方形板状を形成している。表示装置１の角部を含む上下辺の縁部を囲う４つの緩衝部材を有している。４つの緩衝部材は、表示装置１の下辺縁部１ａとその両側角部を囲う第１下側緩衝部材６及び第２下側緩衝部材７を有する下部緩衝部材１０Ａと、上辺縁部１ｂとその両側角部を囲う第１上側緩衝部材８及び第２上側緩衝部材９を有する上部緩衝部材１０Ｂとからなる。
これら第１下側緩衝部材６及び第２下側緩衝部材７と第１上側緩衝部材８及び第２上側緩衝部材９とは表示装置１の四隅の角部にそれぞれ分離されて取り付けられる。
【００１４】
第１下側緩衝部材６は上面と第２下側緩衝部材７に対向する側面に開口を有する溝部６ａが形成されており、溝部６ａの内部は嵌合される表示装置１の左下側の角部と下辺縁部１ａの形状に沿って凹凸が形成されている。同様に、第２下側緩衝部材７は上面と第１下側緩衝部材６に対向する側面に開口を有する溝部７ａが形成され、溝部７ａの内部は嵌合される表示装置１の右下側の角部と下辺縁部１ａの形状に沿って凹凸が形成されている。
【００１５】
第１上側緩衝部材８は下面と第２上側緩衝部材９に対向する側面に開口を有する溝部８ａが形成されており、溝部８ａの内部は嵌合される表示装置１の左上側の角部と上辺縁部１ｂの形状に沿って凹凸が形成されている。同様に、第２上側緩衝部材９は下面と第１上側緩衝部材８に対向する側面に開口を有する溝部９ａが形成され、溝部９ａの内部は嵌合される表示装置１の右上側の角部と上辺縁部１ｂの形状に沿って凹凸が形成されている。
【００１６】
第１下側緩衝部材６及び第２下側緩衝部材７、第１上側緩衝部材８及び第２上側緩衝部材９は、例えばＰＳ（ポリスチレン）、ＰＥ（ポリエチレン）、ＰＰ(ポリプロピレン)等を原材料とする発泡材、発泡スチロールからなり、外部から加わる物理的な荷重や衝撃を緩和する緩衝機能を有している。
なお、第１下側緩衝部材６と第２下側緩衝部材７は互いに分離されていなくてもよく、一体に形成されていてもよい。同様に、第１上側緩衝部材８と第２上側緩衝部材９も分離されることなく一体に形成されていてもよい。これにより、梱包体５の剛性が向上する。
【００１７】
表示装置１の下辺縁部１ａが第１下側緩衝部材６及び第２下側緩衝部材７の溝部６ａ，７ａに嵌合された状態で、第１下側緩衝部材６及び第２下側緩衝部材７を包囲する下部箱部材(カートン)１２が設けられている。更に、上辺縁部１ｂが第１上側緩衝部材８と第２上側緩衝部材９の溝部８ａ，９ａに嵌合された状態で、第１上側緩衝部材８及び第２上側緩衝部材９と下部箱部材１２を覆う上部箱部材(カートン)１３が設けられている。下部箱部材１２と上部箱部材１３の材質は例えば段ボールであるが、厚紙等で形成してもよい。
下部箱部材１２は上面に開口１２ａを有する箱状に形成され、その内部に表示装置１の下辺縁部１ａを嵌合した第１下側緩衝部材６及び第２下側緩衝部材７を収納可能である。上部箱部材１３は下面に開口１３ａを有する箱状に形成され、その内部に表示装置１の上辺縁部１ｂを嵌合した第１上側緩衝部材８及び第２上側緩衝部材９と下部箱部材１２を収納可能である。
【００１８】
下部箱部材１２について、図３乃至図５により詳細に説明する。
下部箱部材１２は、図２及び図４に示すように上向きの開口１２ａが短冊形の細長い長方形状をなす箱体で形成され、開口１２ａに対向する底面１２ｂと底面１２ｂの長辺に沿った両側の長側面１２ｃと底面１２ｂの短辺に沿った両側の短側面１２ｄとで形成されている。長側面１２ｃと短側面１２ｄは同一高さを有している。しかも、長側面１２ｃは折り曲げ部１５で内側に折り曲げられて先端が底面１２ｂまで延びる二重折り部とされている。
【００１９】
図５は下部箱部材１２の展開図である。図５において、下部箱部材１２の展開形状は、短冊形で細長い長方形状の底面１２ｂと、底面１２ｂの対向する長辺に連結された一対の長側面１２ｃと、底面１２ｂの対向する短辺に連結された一対の短側面１２ｄとで形成されている。長側面１２ｃは底面１２ｂよりわずかに両端の長さが短い。しかも、長側面１２ｃは組み立て状態で外側に位置する外側長側面１６と内側に折り曲げられる内側長側面１７とで形成され、外側長側面１６と内側長側面１７は高さ方向が同一長さに形成されている。そのため、長側面１２ｃを折り曲げ部１５で折り曲げて内側長側面１７を下部箱部材１２の内部に折り曲げた際、内側長側面１７の下端部は底面１２ｂに当接しており、剛性が高い。
なお、内側長側面１７の下端部は底面１２ｂに当接するまで延びていなくてもよく、外側長側面１６の高さの上下方向途中まで延びている構成でもよい。この場合でも、長側面１２ｃの折り曲げ部１５で二重折り部に形成できることで、その剛性を高くできる。
【００２０】
外側長側面１６の対向する短辺には折り代部１６ａが形成され、折り代部１６ａは短側面１２ｄより高さが低く形成され、組み立てた状態で短側面１２ｄの内側に位置している。長側面１２ｃの折り曲げ部１５には例えば２本のミシン目１８が平行に形成されている。下部箱部材１２が剛性の高い段ボールや厚紙等で形成されていても、２本のミシン目１８で折り曲げ抵抗が小さくなるため容易に折り曲げできて組立性を改善できる。なお、ミシン目１８は折り曲げ部１５に１本または適宜の複数本形成できる。
【００２１】
長側面１２ｃにおいて、外側長側面１６と折り代部１６ａの境界線から折り代部１６ａ側に穴部２０が形成されている。内側長側面１７の長手方向に対向する両側の端部１７ａには凸部２１が対向して突出形成されている。そして、下部箱部材１２の長側面１２ｃを組み立てる際、外側長側面１６を起立させて折り曲げ部１５で内側長側面１７を内側に折り込んだ状態で、内側長側面１７の凸部２１を外側長側面１６に形成した穴部２０に挿入して係止させる。これにより、内側長側面１７は外側長側面１６に密着した状態で係止され、開いてしまうことを阻止できる。その際、図４に示すように、凸部２１は穴部２０を通して外側長側面１６の外側に露出するが、小さいので見栄えを損ねることはない。
【００２２】
図２において、第１上側緩衝部材８及び第２上側緩衝部材９の上面の両側の角部には断面略Ｌ字型の補強部材２３がそれぞれ載置される。補強部材２３は段ボールまたは厚紙等で形成され、その長さは表示装置１の上辺縁部１ｂに嵌合させた第１上側緩衝部材８及び第２上側緩衝部材９間の長さに等しいことが好ましい。これにより、第１上側緩衝部材８及び第２上側緩衝部材９が分離されていても両側角部に一対の補強部材２３を設置することで剛性を向上できる。
【００２３】
第１上側緩衝部材８及び第２上側緩衝部材９と補強部材２３に対して上部箱部材１３を被せて覆うことができる。上部箱部材１３は下部箱部材１２と同様に、短冊状の長方形状をなす下向きの開口１３ａと、開口１３ａに対向する天面１３ｂと、天面１３ｂの長辺に連結された一対の長側面１３ｃと、天面１３ｂの短辺に連結された一対の短側面１３ｄとで形成されている。しかも図３に示すように、上部箱部材１３の長側面１３ｃと短側面１３ｄとは、表示装置１の第１上側緩衝部材８及び第２上側緩衝部材９だけでなく、第１下側緩衝部材６及び第２下側緩衝部材７を収納した下部箱部材１２の下端部に到達する程度の長さに形成されている。
【００２４】
更に、下部箱部材１２の長側面１２ｃ及び短側面１２ｄと上部箱部材１３の長側面１３ｃ及び短側面１３ｄが重なった状態で、各長側面１２ｃ、１３ｃに形成された不図示の孔部同士を連結して係止させるジョイント２５を備えている。また、下部箱部材１２と上部箱部材１３を互いに固定する２本の梱包用バンド２６も備えている。梱包用バンド２６は例えばポリプロピレン製等の合成樹脂の材質で帯状に形成されている。
【００２５】
本実施形態による表示装置１の梱包体５は上述した構成を備えており、次に表示装置１の梱包体５による梱包方法の一例について図２を中心に説明する。
まず、第１下側緩衝部材６と第２下側緩衝部材７を下部箱部材１２内に収納させる。
次に、表示パネル２の四周縁部にベゼル３を固定した表示装置１の下辺縁部１ａとその両端角部を第１下側緩衝部材６と第２下側緩衝部材７の各溝部６ａ，７ａに嵌合させる。そして、表示装置１の上辺縁部１ｂとその両端角部に第１上側緩衝部材８と第２上側緩衝部材９の各溝部８ａ，９ａを嵌合させる。
【００２６】
次に表示装置１の上辺縁部１ｂに嵌合させた第１上側緩衝部材８及び第２上側緩衝部材９の上面の両側角部に断面略Ｌ字状の補強部材２３をそれぞれ載置させる。そして、第１上側緩衝部材８及び第２上側緩衝部材９の上面から上部箱部材１３を被せて、図３に示すように、下部箱部材１２の長側面１２ｃ及び短側面１２ｄの外側に上部箱部材１３の長側面１３ｃ及び短側面１３ｄを重ねて包囲させる。これにより、第１上側緩衝部材８及び第２上側緩衝部材９の上面の両側角部に載置された補強部材２３は、上部箱部材１３の天面１３ｂと長側面１３ｃとで押さえつけられる。
【００２７】
下部箱部材１２の一対の長側面１２ｃは外側長側面１６と内側長側面１７が折り曲げ部１５で２つ折りされて内側長側面１７の下端部が底面１２ｂに位置しているため、長側面１２ｃの剛性が高い。また、補強部材２３によって上部箱部材１３や第１上側緩衝部材８及び第２上側緩衝部材９の剛性が補強される。そのため、梱包体５の外部から表示装置１の長辺の角部等に荷重や衝撃がかかっても変形しにくい。
そして、下部箱部材１２と上部箱部材１３の両側の長側面１２ｃ、１３ｃ同士を孔部にジョイント２５を通して連結する。更に２本の梱包用バンド２６で下部箱部材１２と上部箱部材１３を締め込むことで固定し、梱包体５の梱包が完了する。
なお、上述した梱包体５の梱包方法は一例にすぎない。他の例として、例えば表示装置１の下辺縁部１ａと上辺縁部１ｂに第１下側緩衝部材６及び第２下側緩衝部材７と第１上側緩衝部材８及び第２上側緩衝部材９を嵌合させた後で、下部箱部材１２及び上部箱部材１３で囲うようにしてもよい。
【００２８】
上述したように本実施形態による表示装置１の梱包体５及び梱包方法によれば、梱包体５で梱包された薄型の表示装置１の長辺の角部に荷重や衝撃がかかったとしても、表示装置１の下部は下部箱部材１２の二重折りした長側面１２ｃで補強されているため、表示装置１の撓みを抑制できる。また、表示装置１の上部は第１上側緩衝部材８及び第２上側緩衝部材９と上部箱部材１３との間に設置した断面略Ｌ字状の補強部材２３で補強されているため、表示装置１の撓みを抑制できる。そのため、外部からの衝撃等で表示装置１の長辺が撓んだり変形する等して、ガラス等の部品が脱落したり分離したりすることを防止できる。
【００２９】
しかも、下部箱部材１２の長側面１２ｃは材質の剛性が高くても、折り曲げ部１５に２条のミシン目１８を形成したため折り曲げが容易である。また、長側面１２ｃの折り曲げた内側長側面１７の両端に設けた凸部２１を外側長側面１６の折り代部１６ａに形成した穴部２０に係止させたため、折り曲げ部１５で折り曲げた内側長側面１７が開くことを阻止できる。
【００３０】
なお、本発明は、上述した実施形態による表示装置１の梱包体５及び梱包方法に限定されることはなく、本発明の趣旨を逸脱しない範囲で適宜の変更や置換等が可能であり、これらはいずれも本発明に含まれる。次に本発明の変形例について説明するが、上述した実施形態と同一または同様な部分、部材には同一の符号を用いて説明する。
【００３１】
例えば、上述の実施形態の構成に代えて、下部箱部材１２の長側面１２ｃを折り曲げることなく外側長側面１６だけで形成すると共に、第１下側緩衝部材６及び第２下側緩衝部材７の下面の両側角部に補強部材２３を設置し、上部箱部材１３の長側面１３ｃを二重折り部に形成してもよい。
また、梱包体５に補強部材２３を設けずに、下部箱部材１２の長側面１２ｃと上部箱部材１３の長側面１３ｃをそれぞれ二重折り部で形成して補強してもよい。
或いは、梱包体５の下部箱部材１２と上部箱部材１３の各長側面１２ｃ、１３ｃに二重折り部を形成せずに、第１下側緩衝部材６及び第２下側緩衝部材７の底面角部と第１上側緩衝部材８及び第２上側緩衝部材９の上面角部にそれぞれ補強部材２３を設けて、下部箱部材１２、上部箱部材１３で押さえ付けて補強してもよい。
【００３２】
要するに、表示装置１の下部と上部をそれぞれ梱包する下部緩衝部材１０Ａまたは下部箱部材１２、上部緩衝部材１０Ｂまたは上部箱部材１３にそれぞれ二重折り部の長側面１２ｃ、１３ｃと補強部材２３の少なくともいずれか１つを設けることで梱包体５の剛性を高めて補強することができる。
【００３３】
なお、上述した実施形態では、下部箱部材１２の対向する一対の長側面１２ｃを折り曲げて二重折り部を形成したが、片方の長側面１２ｃだけに二重折り部を形成してもよい。同様に、第1上側緩衝部材８及び第2上側緩衝部材９の上面の対向する角部にそれぞれ補強部材２３を載置したが、片側の角部にのみ載置してもよい。この場合でも梱包体５を補強できる。
【００３４】
また、上述の実施形態では、下部箱部材１２の長側面１２ｃにおいて、外側長側面１６の折り代部１６ａに穴部２０を形成し、内側長側面１７の端部１７ａに凸部２１を形成して、凸部２１を穴部２０に挿入して係止させた。しかし、本発明はこれに限定されるものではなく、内側長側面１７の両側の端部１７ａに折り代部１６ａと穴部２０を形成し、外側長側面１６の両側端部に凸部２１を形成してもよい。この場合、凸部２１を穴部２０に係止させることで、凸部２１の先端は下部箱部材１２の内側に突出するため、外側に露出せず見栄えが良い。
【００３５】
なお、上述した実施形態では、表示装置１の下辺縁部１ａと上辺縁部１ｂをそれぞれ下部緩衝部材１０Ａ及び下部箱部材１２、上部緩衝部材１０Ｂ及び上部箱部材１３で覆って梱包するように構成した。しかし、本発明による被梱包物の梱包体５は被梱包物の下部と上部を覆う構成に限定されるものではない。例えば表示装置１等の被梱包物の左側縁部と右側縁部をそれぞれ左側緩衝部材及び左部箱部材、右側緩衝部材及び右部箱部材で覆って梱包するように構成してもよい。
そのため、本発明において、下部緩衝部材１０Ａ及び左側緩衝部材は第一緩衝部材に含まれ、上部緩衝部材１０Ｂ及び右側緩衝部材は第二緩衝部材に含まれる。また、下部箱部材１２及び左部箱部材は第一箱部材に含まれ、上部箱部材１３及び右部箱部材は第二箱部材に含まれる。
【００３６】
また、上述した実施形態では、下部緩衝部材１０Ａや上部緩衝部材１０Ｂとして発泡スチロールを用いたが、発泡スチロールに限定されない。例えば、段ボールや厚紙や合成樹脂材等の他の材質の緩衝部材を用いることができる。
また、被梱包体として薄型の表示装置１を用いたが、他の薄型製品でもよいし、薄型でない製品でもよく、適宜の被梱包体に本発明を適用できる。
【符号の説明】
【００３７】
１  表示装置
１ａ  下辺縁部
１ｂ  上辺縁部
２  表示パネル
３  ベゼル
６  第１下側緩衝部材
７  第２下側緩衝部材
８  第１上側緩衝部材
９  第２上側緩衝部材
１０Ａ  下部緩衝部材
１０Ｂ  上部緩衝部材
１２  下部箱部材
１２ｃ、１３ｃ  長側面
１３  上部箱部材
１５  折り曲げ部
１６  外側長側面
１７  内側長側面
１８  ミシン目
２０  穴部
２１  凸部
２３  補強部材
【図１】
2019142564.tif 000003
【図２】
2019142564.tif 000004
【図３】
2019142564.tif 000005
【図４】
2019142564.tif 000006
【図５】
2019142564.tif 000007
【図６】
2019142564.tif 000008
【図７】
2019142564.tif 000009